(57)【要約】【課題】  階段の手摺り棒、手鎌や斧、工具類の柄、バット、車のハンドル等の握る部分は、摩擦抵抗が少なく滑り易い。手袋を着用していても、より安心、かつ安全なものにしたい。また階段の踏み板など滑り易い物体毎に、突起を付けることは、製造過程で工数的に問題があり経費も掛かる難点がある。これらに簡単に摩擦抵抗物体を付けて、効果的に課題を解決する。【解決手段】  課題を解決するため、本考案は、軟質系ビニール、又はゴムテープの表面に半球状のイボ、突起を連続して設け、裏側を接着剤付きとし、このテープを握る部分に巻きつけるか、又は適当な長さに切断して貼りつけることで摩擦抵抗は増し、手袋を着用していても突起により、滑りにくい簡易滑り止めテープを提供できる。【選択図】    図１
0003110918.tif 000002
【実用新案登録請求の範囲】
【請求項１】
軟質系ビニール、又はゴムテープ（１）の表面側にイボ、突起（２）を連続して設け、その裏側面を接着可能としたことを特徴とする滑り止めテープ。
【考案の詳細な説明】
【技術分野】
【０００１】  本考案は、軟質系のビニール、又はゴムテープの表面側に、半球状のイボ、突起を連続して配列し、テープの裏側は接着剤であって、この接着剤を紙テープで保護しているので、使用時は、この紙テープを剥がして使用する簡易滑り止めテープである。
【背景技術】
【０００２】  従来、手摺り棒、運動健康器具、農作業用具の握り棒や工具類の柄、手提げカバン、乗り物のハンドル、野球バットなど、握る部分は必ずしも、しっかりとした滑り止め措置は考慮されていない。【０００３】  上記において、手摺り棒など握る部分は直線的に仕上げているのが一般的である。このため特に傾斜階段では滑り易い。また、手鎌、手斧、鍬など握る部分は、突起など付いていないので、摩擦抵抗がなく、冬場でも手袋を着用していると、なおさら滑り易く危険でもある。また各種の手押し車や、車両でのハンドルにおいても、凸凹が少ないため摩擦抵抗が少ない。寒いときは手袋は着用していることが多く、滑り易く特に注意を要する事案でもあった。【０００４】  運動健康器具は、それなりに握り部分に小さな、ギザギザなどが刻んであるのも見受けられる。野球バットは、握り部分の細い部分に、滑り止めにと、通常の絶縁ビニール、ゴムテープ等を巻きつけて使用しているのを見掛ける。バットを振ったときに、一応、手に引っ掛かるようにバットの握り部分の先端（下側）はコブ状にしてある。しかし握り部分は摩擦抵抗が無く滑り易く製作してあり、折れて飛ぶのは致し方ないが、バット自体が遠心力も加わり、手から離れ飛ぶ事もある。これはプロ野球でも見受けられ、最悪の場合は、怪我をする場合もあり、危険でもある
【考案の開示】
【考案が解決しようとする課題】
【０００５】  解決しようとする課題、問題点は、手で握るもの、又は、手を添えるものに摩擦抵抗を付け滑らなくする。滑らない工夫を施し極力危険をなくし、極力安全なものにすることで課題は解決する。しかし、手で握る物の総てにイボ、突起を付けて滑らないようにすることは、製作上においても工数、経費も掛かり問題でもある。
【課題を解決するための手段】
【０００６】  本考案は、図１、図２記載のように、テープの表面側に半球状のイボ、突起を設け、裏側を、接着可能とし、使用する箇所や物体に巻き付けるか、又は、握る箇所に、適当な長さに切断して貼り付けるだけの極めて簡易な処置で解決する。
【考案の効果】
【０００７】  ビニール、又はゴムテープに、イボ、又は突起を連続して付けることで、摩擦抵抗が一段と増加するので、多種多用な用具類等の握り部分や柄などに付けることで滑らず安全度がより一層増す効果がある。【０００８】  例えば、車車両のハンドル、階段の手摺り、カバンの握り部分や鉄アレイの握り部分、また高齢者が良く使用する手押しにイボ、又は突起の付いたテープを巻いたり、貼ることで、滑り防止の効果が生じると共に併用して手軽に手のツボを押さえることに按摩の効果となって、これが健康増進にもつながる事にもなり相乗効果も生まれた。【０００９】    特に傾斜階段の手摺りに緩やかに巻いたり、貼り付けることで、見た目にも滑り防止措置を施しているのが一目瞭然となり、より優しい安心、かつ安全な手摺りに変化する効果も生まれる。また、本テープを靴底、スリッパなどにも活用でき貼りつけることでイボ、突起が足裏を押し按摩の働きをする効果も生じる。
【考案を実施するための最良の形態】
【００１０】  図１．２のように軟質系のビニール、又はゴムテープ（厚さ約０．５ｍｍくらい）の表面に半球状のイボ、又は、突起（高さ約３ｍｍくらい）を間隔、約２．５ｃｍくらいとして連続して設ける。このとき代替として、大小の大きさの異なる突起を交互に連続し配列してもかまわない。【００１１】  テープの幅は約２０ｍｍくらいで裏側は、図３のように接着剤が付着し、薄い紙テープで、接着剤を挟むように保護している。（これは、よく見かける敷居滑りテープや隙間テープと同じ形態である。【００１２】  本考案のテープは、通常においては、渦巻き状にしてあるのが最良であり、このため保管するときも場所を取らない。また、色は、好みもあり、使い方も人それぞれであり、数種類あった方が望ましい。【００１３】  滑り易い物体へ、テープの表面側のイボ、又は突起が上側になるようにして、裏の薄い紙テープを剥がしつつ、適当に巻き付けるか、又は適当な長さに切断して貼り付ける。
【実施例】
【００１４】  実施使用するときは、上記００１３の他、例えば、手摺り棒、手斧や斧の柄であっても、棒や柄が見えないように、隙間のないように巻くか、間隔を開くように緩やかに巻くか、或いは、握る部位だけを決めて、その付近だけを巻くか、又は、巻く、代わりに適当な長さに切断して貼りつけるか自由にする。また、階段の足踏み板に貼る場合は、目立つ色のテープを、１列、又は２列に貼りつければ、より安心、かつ安全である
【産業上の利用可能性】
【００１５】  一般家庭においても、階段があれば、踏み板は当然あるので、ここの滑り止めに、このテープを利用できる。また、手摺り棒に付ければ、万一の場合でも、咄嗟的に握っても抵抗があるので滑り難いので、安心感が得られるので利用者はあると考える。また、自家用車のハンドルが滑り止め措置が軽微なとき、又は不充分と感じたときは、このテープを利用すれば、手袋を着用していても滑りにくくなるので利用者はあると思う。また、手鎌や、包丁、切り出しナイフ等の柄も滑ることがあるので、このテープを利用することで安全度がさらに増す。また、家屋内で大事な物などの箇所に貼りつけているだけで、停電時や、身体障害者（盲目者）でもその有り場所などを比較的、早く探せることにもつながり、多用途に利用できる可能性はあると思う。【００１６】  一般家庭以外でも、各種用具、工具類を使用する場合や屋外でも滑り止め手袋を着用して作業をすることは多くある。工場など施設には階段も多くあり、それも鉄棒の手摺りは屋内外に多く見られる。特に艦船舶などは、構造上からも急勾配の階段が多く、さらに動揺と波しぶきがかかり、滑り易い環境は多くある。通常の手袋でも本考案のテープを活用することで危険から少しでも安全へ改革できると考える。また、特に冬場において、車両を使用する場合、暖房が効くまでは、手袋を着用したまま、操縦運転することは多いことで、ハンドルにイボ状の突起が付いているだけで摩擦抵抗は大きくなり、滑らず気分的にも楽で操作が容易となり運転に確実性が増す。
【図面の簡単な説明】
【００１７】
【図１】  テープの上面図である。
【図２】  テープの側面図である。
【図３】  Ａ−Ａ面の切断拡大図である。
【符号の説明】
【００１８】  １  テープ
２  イボ・突起
３  接着剤
４  剥がし紙テープ
【図１】
0003110918.tif 000003
【図２】
0003110918.tif 000004
【図３】
0003110918.tif 000005